(57)【要約】      （修正有）【課題】認知症の進行度合いを適切に判断することができ、認知症の進行度合いの診断を支援可能な認知症診断支援装置を提供する。【解決手段】認知症診断支援装置１００において、タッチパネル１は、検査用画像が表示された表示面に対する点状の接触によるタッチ操作が行われたときに、タッチ操作ごとに表示面上の接触位置を検出する。そして、得点算出部は、タッチパネル１によって検出された接触位置に基づいて、表示面に表示された検査用画像における接触位置の分布のばらつき度合いを表す第１の得点を算出する。【選択図】図１
2015173695.tif 000002
【特許請求の範囲】
【請求項１】
画像を表示する表示面を有する表示部と、
マトリクス状に配列された複数の第１領域に前記表示面を分割する第１および第２分割線と、マトリクス状に配列された複数の第２領域に前記各第１領域を分割する第３および第４分割線とによって構成される、検査用画像を表す検査用画像データが記憶された第１記憶部と、
前記第１記憶部に記憶された検査用画像データに基づく検査用画像を、前記表示部の表示面に表示させる表示制御部と、
前記検査用画像が表示された前記表示面に対する点状の接触による入力操作が行われたときに、入力操作ごとに該表示面上の接触位置を検出する接触位置検出部と、
前記接触位置検出部によって検出された接触位置を記憶する第２記憶部と、
前記第２記憶部に記憶された接触位置に基づいて、前記表示面に表示された検査用画像における接触位置の分布のばらつき度合いを表す第１の得点を算出する得点算出部と、を含むことを特徴とする認知症診断支援装置。
【請求項２】
前記接触位置検出部による接触位置の検出順序を表す検出順序情報を取得し、その取得した検出順序情報を接触位置と対応付けて前記第２記憶部に記憶させる検出順序情報取得部をさらに含み、
前記得点算出部は、前記検出順序情報取得部によって前記第２記憶部に記憶された検出順序情報に基づいて、前記表示面に表示された検査用画像に対する入力操作の操作順序のばらつき度合いを表す第２の得点を算出することを特徴とする請求項１に記載の認知症診断支援装置。
【請求項３】
前記接触位置検出部による接触位置の検出時間間隔を表す検出時間間隔情報を取得し、その取得した検出時間間隔情報を前記第２記憶部に記憶させる検出時間間隔情報取得部をさらに含み、
前記得点算出部は、前記検出時間間隔情報取得部によって前記第２記憶部に記憶された検出時間間隔情報に基づいて、前記表示面に表示された検査用画像に対する入力操作の操作時間間隔のばらつき度合いを表す第３の得点を算出することを特徴とする請求項１または２に記載の認知症診断支援装置。
【発明の詳細な説明】
【技術分野】
【０００１】
本発明は、認知症の進行度合いの診断を支援するための認知症診断支援装置に関する。
【背景技術】
【０００２】
認知症は、８５歳以上の４人に１人が発症しているといわれており、超高齢化社会を迎えるにあたり、今後２０年で倍増すると予想されている。認知症の発症に伴う患者および患者の介護者の心身の負担は非常に大きいが、早期発見、早期治療により、症状の軽減、進行の遅延、一部認知症においては完治も期待できる。
【０００３】
認知症の進行度合いの診断を支援するために用いることができる装置が特許文献１に開示されている。特許文献１に開示される知能検査装置は、複数の升目がマトリクス状に配列された升目マトリクス画像を表示する表示装置と、該表示装置に表示された升目マトリクス画像に対する点接触による入力操作が行われたときに接触点の座標を読取る２次元座標読取装置と、該２次元座標読取装置によって読取られた座標の情報を用いて接触点の分布のばらつき度合いを演算する中央演算処理装置と、を含んで構成されている。
【０００４】
特許文献１に開示される知能検査装置を認知症の診断に用いた場合、中央演算処理装置によって演算された、被検者の入力操作による接触点の分布のばらつき度合いを分析することによって、認知症の進行度合いの指標を得ることができる。
【先行技術文献】
【特許文献】
【０００５】
【特許文献１】特公平６−４６９８９号公報
【発明の概要】
【発明が解決しようとする課題】
【０００６】
特許文献１に開示される知能検査装置では、被検者の入力操作による接触点の分布のばらつき度合いを表す得点は、接触点の座標がばらついていれば、高くなる。たとえば、２次元座標読取装置によって読取られた座標が、（ｘ，ｙ）＝（１，１）、（２，２）、（３，３）、…（Ｎ−１，Ｎ−１）、（Ｎ，Ｎ）となり、被検者による入力操作が直線的なものであった場合でも、接触点の分布のばらつき度合いを表す得点は、高得点となる。
【０００７】
上記のように、被検者による入力操作が直線的なものであった場合、表示装置に表示された升目マトリクス画像に対して、画像全体にわたって分散された入力操作であるとは言い難く、このような場合に高得点とすれば、認知症の進行度合いを適切に判断することはできないと考えられる。
【０００８】
本発明の目的は、認知症の進行度合いを適切に判断することができ、認知症の進行度合いの診断を支援可能な認知症診断支援装置を提供することである。
【課題を解決するための手段】
【０００９】
本発明は、画像を表示する表示面を有する表示部と、
マトリクス状に配列された複数の第１領域に前記表示面を分割する第１および第２分割線と、マトリクス状に配列された複数の第２領域に前記各第１領域を分割する第３および第４分割線とによって構成される、検査用画像を表す検査用画像データが記憶された第１記憶部と、
前記第１記憶部に記憶された検査用画像データに基づく検査用画像を、前記表示部の表示面に表示させる表示制御部と、
前記検査用画像が表示された前記表示面に対する点状の接触による入力操作が行われたときに、入力操作ごとに該表示面上の接触位置を検出する接触位置検出部と、
前記接触位置検出部によって検出された接触位置を記憶する第２記憶部と、
前記第２記憶部に記憶された接触位置に基づいて、前記表示面に表示された検査用画像における接触位置の分布のばらつき度合いを表す第１の得点を算出する得点算出部と、を含むことを特徴とする認知症診断支援装置である。
【００１０】
また本発明の認知症診断支援装置は、前記接触位置検出部による接触位置の検出順序を表す検出順序情報を取得し、その取得した検出順序情報を接触位置と対応付けて前記第２記憶部に記憶させる検出順序情報取得部をさらに含み、
前記得点算出部は、前記検出順序情報取得部によって前記第２記憶部に記憶された検出順序情報に基づいて、前記表示面に表示された検査用画像に対する入力操作の操作順序のばらつき度合いを表す第２の得点を算出することを特徴とする。
【００１１】
また本発明の認知症診断支援装置は、前記接触位置検出部による接触位置の検出時間間隔を表す検出時間間隔情報を取得し、その取得した検出時間間隔情報を前記第２記憶部に記憶させる検出時間間隔情報取得部をさらに含み、
前記得点算出部は、前記検出時間間隔情報取得部によって前記第２記憶部に記憶された検出時間間隔情報に基づいて、前記表示面に表示された検査用画像に対する入力操作の操作時間間隔のばらつき度合いを表す第３の得点を算出することを特徴とする。
【発明の効果】
【００１２】
本発明によれば、認知症診断支援装置は、画像を表示する表示面を有する表示部と、第１記憶部と、表示制御部と、接触位置検出部と、第２記憶部と、得点算出部とを含んで構成される。第１記憶部は、マトリクス状に配列された複数の第１領域に前記表示面を分割する第１および第２分割線と、マトリクス状に配列された複数の第２領域に前記各第１領域を分割する第３および第４分割線とによって構成される、検査用画像を表す検査用画像データを記憶する。表示制御部は、第１記憶部に記憶された検査用画像データに基づく検査用画像を、表示部の表示面に表示させる。接触位置検出部は、検査用画像が表示された表示面に対する点状の接触による入力操作が行われたときに、入力操作ごとに該表示面上の接触位置を検出する。第２記憶部は、接触位置検出部によって検出された接触位置を記憶する。得点算出部は、第２記憶部に記憶された接触位置に基づいて、表示面に表示された検査用画像における接触位置の分布のばらつき度合いを表す第１の得点を算出する。
【００１３】
上記のように構成された本発明の認知症診断支援装置では、得点算出部が、接触位置検出部によって検出された、検査用画像が表示された表示面に対する接触位置に基づいて、第１の得点を算出するので、その算出された第１の得点を分析することによって、認知症の進行度合いを適切に判断することができる。
【００１４】
また本発明によれば、認知症診断支援装置は、検出順序情報取得部をさらに含む。この検出順序情報取得部は、接触位置検出部による接触位置の検出順序を表す検出順序情報を取得し、その取得した検出順序情報を接触位置と対応付けて第２記憶部に記憶させる。そして、得点算出部は、検出順序情報取得部によって第２記憶部に記憶された検出順序情報に基づいて、表示部の表示面に表示された検査用画像に対する入力操作の操作順序のばらつき度合いを表す第２の得点を算出する。第１の得点に加えて、第２の得点を分析することによって、認知症の進行度合いをより適切に判断することができる。
【００１５】
また本発明によれば、認知症診断支援装置は、検出時間間隔情報取得部をさらに含む。この検出時間間隔情報取得部は、接触位置検出部による接触位置の検出時間間隔を表す検出時間間隔情報を取得し、その取得した検出時間間隔情報を第２記憶部に記憶させる。そして、得点算出部は、検出時間間隔情報取得部によって第２記憶部に記憶された検出時間間隔情報に基づいて、表示部の表示面に表示された検査用画像に対する入力操作の操作時間間隔のばらつき度合いを表す第３の得点を算出する。第１の得点に加えて、第３の得点を分析することによって、認知症の進行度合いをより適切に判断することができる。
【図面の簡単な説明】
【００１６】
【図１】本発明の一実施形態に係る認知症診断支援装置１００の構成を示すブロック図である。
【図２】表示部２の表示面に表示された検査用画像２１１に対してタッチ操作が行われた状態を模式的に示す図である。
【発明を実施するための形態】
【００１７】
（第１実施形態）
図１は、本発明の一実施形態に係る認知症診断支援装置１００の構成を示すブロック図である。図２は、表示部２の表示面に表示された検査用画像２１１に対してタッチ操作が行われた状態を模式的に示す図である。認知症診断支援装置１００は、被検者の認知症の進行度合いの診断を支援することができる装置であり、タブレット端末装置などの携帯端末装置によって実現される。
【００１８】
認知症診断支援装置１００は、接触位置検出部として機能するタッチパネル１と、表示部２と、移動体通信モジュール３と、操作キー部４と、制御部５と、検出時間間隔情報取得部として機能する計時部６と、第１記憶部７と、第２記憶部８とを含んで構成される。
【００１９】
表示部２は、液晶パネルおよびバックライトを備える液晶ディスプレイや、有機ＥＬ（Electro-Luminescence）ディスプレイなどによって実現され、本実施形態では、液晶ディスプレイである。この表示部２は、詳細については後述するが、第１記憶部７に予め記憶されている検査用画像データに基づく検査用画像２１１を表示面に表示する。
【００２０】
タッチパネル１は、表示部２の表示面に重ねられて設けられる。タッチパネル１としては、赤外線遮断方式、抵抗膜方式、表面型静電容量方式、投影型静電容量方式、超音波表面弾性波方式、音響パルス認識方式、振動検出方式、電磁誘導方式、画像認識方式、あるいは光センサ内蔵ＬＣＤ方式のタッチパネルを用いることができる。また、たとえば、表示部２の表示面上に、ユーザのタッチ操作を検出するためのタッチパネル１を取り付けたオーバーレイ構造であってもよく、タッチパネル１を表示部２と一体化させた構造であってもよい。タッチパネル１は、検査用画像２１１が表示された表示部２の表示面に対する点状の接触によるタッチ操作（入力操作）が行われたときに、タッチ操作ごとに該表示面上の接触位置を検出する。
【００２１】
移動体通信モジュール３は、たとえばＩＭＴ−２０００（International Mobile Telecommunications 2000）規格に準拠した第３世代移動通信システムなどの移動体通信システムによる無線通信を実行する無線通信デバイスである。移動体通信モジュール３は、移動体通信のセルラーネットワークの無線基地局との間で無線接続を確立することによって、ＣＤＭＡ（Code Division Multiple Access）などの方式によって無線通信を行う。
【００２２】
操作キー部４は、たとえば電源ボタンなどから成り、被検者（ユーザ）による押下操作によって認知症診断支援装置１００における電力の供給状態の切替操作が実行される。また、計時部６は、タッチパネル１による接触位置の検出時間間隔を表す検出時間間隔情報を取得し、その取得した検出時間間隔情報を第２記憶部８に記憶させる。
【００２３】
第１記憶部７は、フラッシュメモリなどの半導体メモリによって実現され、認知症診断支援装置１００の基本的な機能を実現するオペレーティングシステム（ＯＳ：Operating System）プログラムが記憶されるとともに、Ｗｅｂブラウジング機能を実現するブラウザプログラムなどの種々のアプリケーションプログラムが記憶される。
【００２４】
本実施形態では、この第１記憶部７には、コンピュータを認知症診断支援装置１００として機能させるためのプログラムであり、後述する得点算出処理を実行するためのプログラム（以下、「得点算出プログラム」と称する）が記憶されている。なお、この得点算出プログラムは、認知症診断支援装置１００に予めインストールされていてもよく、または、インターネットからダウンロードするなどして取得し、インストールされてもよい。
【００２５】
また、第１記憶部７は、図２に示す検査用画像２１１を表す検査用画像データが、予め記憶される。検査用画像２１１は、マトリクス状に配列された複数の第１領域に表示部２の表示面を分割する第１横分割線２１１ｂ（第１分割線）および第１縦分割線２１１ａ（第２分割線）と、マトリクス状に配列された複数の第２領域に各第１領域を分割する第２横分割線２１１ｃ（第３分割線）および第２縦分割線２１１ｄ（第４分割線）と、によって構成される。
【００２６】
検査用画像２１１における複数の第１領域は、それぞれ矩形状に形成されており、各第１領域を規定する複数の第１横分割線２１１ｂは互いに平行で等間隔に配列され、各第１領域を規定する複数の第１縦分割線２１１ａは互いに平行で等間隔に配列されている。また、検査用画像２１１における複数の第２領域は、それぞれ正方形状に形成されており、各第２領域を規定する複数の第２横分割線２１１ｃは互いに平行で等間隔に配列され、各第２領域を規定する複数の第２縦分割線２１１ｄは互いに平行で等間隔に配列されている。
【００２７】
本実施形態では、図２に示すように、検査用画像２１１において第１横分割線２１１ｂと第１縦分割線２１１ａとによって規定される第１領域は、横方向（ｘ方向）に５個で縦方向（ｙ方向）に６個の、合計３０個がマトリクス状に配列されている。また、検査用画像２１１において第２横分割線２１１ｃと第２縦分割線２１１ｄとによって規定される第２領域は、各第１領域内で横方向（ｘ方向）に４個で縦方向（ｙ方向）に２個、検査用画像２１１全体では横方向（ｘ方向）に２０個で縦方向（ｙ方向）に１２個の、合計２４０個がマトリクス状に配列されている。
【００２８】
第２記憶部８は、ＲＡＭ（Random Access Memory）などによって実現され、タッチパネル１によって検出された接触位置を記憶する。また、第２記憶部８は、計時部６によって取得された検出時間間隔情報、後述の座標情報出力部５１によって取得された座標情報および検出順序情報を記憶する。
【００２９】
制御部５は、認知症診断支援装置１００の各部の動作を制御する処理部であり、たとえば、中央演算処理装置（ＣＰＵ：Central Processing Unit）、ＲＯＭ（Read Only Memory）およびＲＡＭ（Random Access Memory）を備えるマイクロコンピュータ、マイクロプロセッサなどによって実現される処理回路である。制御部５は、第１記憶部７からＲＡＭにロードされるオペレーティングシステムプログラムおよびアプリケーションプログラムを実行するとともに、得点算出プログラムを実行する。
【００３０】
制御部５は、座標情報出力部５１と、表示制御部５２と、得点算出部５３とを含んで構成される。制御部５は、得点算出プログラムを実行することによって、本発明における座標情報出力部５１、表示制御部５２、および得点算出部５３として機能する。
【００３１】
座標情報出力部５１は、検査用画像２１１が表示された表示部２の表示面に対する点状のタッチ操作が行われて、タッチパネル１によって表示面上の接触位置が検出されると、該接触位置の検査用画像２１１における第２領域に対応する座標情報を生成し、その座標情報を出力する。このようにして座標情報出力部５１から出力された座標情報は、第２記憶部８に記憶される。
【００３２】
前述したように、検査用画像２１１において第２横分割線２１１ｃと第２縦分割線２１１ｄとによって規定される第２領域は、検査用画像２１１全体では横方向（ｘ方向）に２０個で縦方向（ｙ方向）に１２個の、合計２４０個がマトリクス状に配列されている。このような検査用画像２１１について、座標情報出力部５１は、たとえば、検査用画像２１１における左上隅の第２領域に対応する接触位置がタッチパネル１によって検出されると、（ｘ，ｙ）＝（１，１）の座標情報を出力し、検査用画像２１１における右上隅の第２領域に対応する接触位置がタッチパネル１によって検出されると、（ｘ，ｙ）＝（２０，１）の座標情報を出力し、検査用画像２１１における左下隅の第２領域に対応する接触位置がタッチパネル１によって検出されると、（ｘ，ｙ）＝（１，１２）の座標情報を出力し、検査用画像２１１における右下隅の第２領域に対応する接触位置がタッチパネル１によって検出されると、（ｘ，ｙ）＝（２０，１２）の座標情報を出力する。
【００３３】
また、座標情報出力部５１は、検出順序情報取得部としての機能を有し、タッチパネル１による接触位置の検出順序を表す検出順序情報を取得し、その取得した検出順序情報を接触位置と対応付けて第２記憶部８に記憶させる。
【００３４】
表示制御部５２は、表示部２を制御する機能を有し、得点算出プログラムが起動された場合に、第１記憶部７に記憶された検査用画像データに基づく検査用画像２１１が表示面に表示されるように、表示部２を制御する。
【００３５】
得点算出部５３は、タッチパネル１によって検出され、第２記憶部８に記憶された、検査用画像２１１が表示された表示部２の表示面に対する接触位置に基づいて、表示面に表示された検査用画像２１１における接触位置の分布のばらつき度合いを表す第１の得点を算出する。
【００３６】
たとえば、図２（ａ）に示すように、検査用画像２１１が表示された表示部２の表示面に対して、「斜線」を付した第２領域に対応する位置にタッチ操作が行われて、そのタッチ操作に対応した接触位置がタッチパネル１によって検出された場合には、得点算出部５３は、第１の得点を算出する。また、図２（ｂ）に示すように、検査用画像２１１が表示された表示部２の表示面に対して、「斜線」を付した第２領域に対応する位置にタッチ操作が行われて、そのタッチ操作に対応した接触位置がタッチパネル１によって検出された場合には、得点算出部５３は、第１の得点を算出する。
【００３７】
上記のように構成された本実施形態の認知症診断支援装置１００では、得点算出部５３が、タッチパネル１によって検出された、検査用画像２１１が表示された表示部２の表示面に対する接触位置に基づいて、第１の得点を算出するので、その算出された第１の得点を分析することによって、認知症の進行度合いを適切に判断することができる。
【００３８】
また、得点算出部５３は、座標情報出力部５１によって取得され、第２記憶部８に記憶された検出順序情報に基づいて、表示部２の表示面に表示された検査用画像２１１に対するタッチ操作の操作順序のばらつき度合いを表す第２の得点を算出する。
【００３９】
第１の得点に加えて、第２の得点を分析することによって、認知症の進行度合いをより適切に判断することができる。
【００４０】
また、得点算出部５３は、計時部６によって取得され、第２記憶部８に記憶された検出時間間隔情報に基づいて、表示部２の表示面に表示された検査用画像２１１に対するタッチ操作の操作時間間隔のばらつき度合いを表す第３の得点を算出する。
【００４１】
第１の得点に加えて、第３の得点を分析することによって、認知症の進行度合いをより適切に判断することができる。
【００４２】
（第２実施形態）
上記の実施形態では、得点算出プログラムは、半導体メモリによって実現される第１記憶部７に記憶されているが、このような記憶装置に限定されるものではなく、コンピュータで読取り可能な記録媒体に記録されていてもよい。記録媒体は、たとえば図示しない外部記憶装置としてプログラム読取装置を設け、そこに記録媒体を挿入することによって読取り可能な記録媒体であってもよいし、または他の装置の記憶装置であってもよい。
【００４３】
いずれの記録媒体であっても、記録媒体に記憶されているプログラムがコンピュータからアクセスされて実行される構成であればよい。すなわち、いずれの記録媒体であっても、記録媒体からプログラムが読み出され、読み出されたプログラムが、記憶装置のプログラム記憶エリアに記憶されて、そのプログラムが実行される構成であればよい。さらに通信ネットワークを介して他の装置からダウンロードされてプログラム記憶エリアに記憶させてもよい。ダウンロード用のプログラムは、予めコンピュータの記憶装置に記憶しておくか、または別な記録媒体からプログラム記憶エリアにインストールしておく。
【００４４】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（Electrically Erasable Programmable Read Only Memory）（登録商標）／フラッシュＲＯＭなどの半導体メモリを含む固定的にプログラムを担持する記録媒体であってもよい。
【符号の説明】
【００４５】
１  タッチパネル
２  表示部
３  移動体通信モジュール
４  操作キー部
５  制御部
６  計時部
７  第１記憶部
８  第２記憶部
５１  座標情報出力部
５２  表示制御部
５３  得点算出部
１００  認知症診断支援装置
【図１】
2015173695.tif 000003
【図２】
2015173695.tif 000004